(57)【要約】【課題】装置が大型化されることなく、装置背面側に設けられたトレイへシートを確実に装填することができる画像記録装置を提供する。【解決手段】原稿に記録された画像を読み取る画像読取部１２と、画像読取部１２の下方に設けられており、記録用紙に画像を記録するプリンタ部１１と、を具備する。プリンタ部１１は、複合機１０の背面側において記録用紙を下方から上方へＵターンさせて搬送する湾曲路６５Ａと、湾曲路６５ＡのＵターン部分から複合機１０の背面１４Ａへ通ずる直線路５６Ｂと、複合機１０の背面１４Ａにおいて直線路６５Ｂが開口する位置１３に設けられた手差しトレイ２０と、を具備する。手差しトレイ２０は、複合機１０の背面１４Ａに沿って起立する第１姿勢と複合機１０の背面１４Ａから外側へ斜め上方へ傾倒する第２姿勢とに姿勢変化可能であって、上記第１姿勢における上端が複合機１０の最上位置より低い。【選択図】図４
2011046497.tif 000002
【特許請求の範囲】
【請求項１】
原稿に記録された画像を読み取る画像読取部と、
上記画像読取部の下方に設けられており、シートに画像を記録する画像記録部と、を具備し、
上記画像記録部は、当該装置の背面側においてシートを下方から上方へＵターンさせて搬送する第１搬送路と、当該第１搬送路のＵターン部分から当該装置の背面へ通ずる第２搬送路と、当該装置の背面において第２搬送路が開口する位置に設けられたトレイと、を具備し、
上記トレイは、当該装置の背面に沿って起立する第１姿勢と当該装置の背面から外側へ斜め上方へ傾倒する第２姿勢とに姿勢変化可能であって、上記第１姿勢における上端が当該装置の最上位置より低いものである画像記録装置。
【請求項２】
上記第１姿勢の上記トレイと当該装置の背面との間で当該装置の背面に沿って起立する第３姿勢と、当該装置の背面から上記第２姿勢の上記トレイのシート載置面へ傾倒する第４姿勢とに姿勢変化可能であって、上記トレイが第１姿勢のときに第３姿勢となり且つ上記トレイが第２姿勢のときに第４姿勢となるように連動し、第４姿勢において第２姿勢の上記トレイとの間にシートが挿入可能な間隙を有する第１ガイドを更に備えた請求項１に記載の画像記録装置。
【請求項３】
上記間隙は、当該装置へ挿入可能な最大のシート厚以下である請求項２に記載の画像記録装置。
【請求項４】
上記トレイにおいてシートが載置される載置面に、シートが給送される給送向きに沿って第１方向へ一対が延設されており、当該第１方向と直交し且つ上記載置面に沿った第２方向へスライドして上記載置面に載置されたシートの端に当接可能な第２ガイドを更に備えた請求項２又は３に記載の画像記録装置。
【請求項５】
上記第１ガイドにおける上記間隙に面する縁の第２方向の中央部は、第２方向の両端部より低く、上記トレイにおける少なくとも上記間隙に面するシート載置面の第２方向の中央部は、第２方向の両端部より低い請求項４に記載の画像記録装置。
【請求項６】
上記第２ガイドは、上記第４姿勢の上記第１ガイドのシート挿入側の近傍において当該第２ガイドの上面から立設されて上記第１ガイドとの間隙を覆う凸部を有する請求項４又は５に記載の画像記録装置。
【請求項７】
上記一対の第２ガイド間の距離が、上記トレイの先端側においてテーパ状に拡大されている請求項４から６のいずれかに記載の画像記録装置。
【発明の詳細な説明】
【技術分野】
【０００１】
本発明は、シートに対して画像を記録する画像記録装置に関し、特に、装置の背面側からシートを挿入可能に構成された画像記録装置に関する。
【背景技術】
【０００２】
従来より、装置の背面に手差しトレイが設けられた画像記録装置が公知である。例えば、特許文献１には、装置の背面に手差し給紙用の挿入口を持ち、手差し給紙用の挿入口から挿入したシートを第一の位置センサで検知できるように構成した画像形成装置が開示されている。当該画像形成装置では、本体背面に用紙を挿入する開口部を設けて、用紙を１枚挿入すると、その先端を反転用紙導入検知センサで検知するようになっている。
【先行技術文献】
【特許文献】
【０００３】
【特許文献１】特開２００５−２１９８６０号公報
【発明の概要】
【発明が解決しようとする課題】
【０００４】
特許文献１に記載されているように、装置の背面側に手差しトレイが設けられると、ユーザは、装置の正面側から装置越しに手差しトレイへ記録用紙などを装填することとになる。このようなユーザの操作を考慮すると、装置の正面側から手差しトレイや、記録用紙などの挿入箇所が目視できることが好ましい。
【０００５】
しかしながら、装置の正面側から手差しトレイを目視できるようにすると、手差しトレイが大きくなって、装置の上側へ大きく突出することになる。そうすると、装置が大型化したり、装置を設定するためのスペースが拡大されたりすることになる。
【０００６】
本発明は、このような問題に鑑みてなされたものであり、装置が大型化されることなく、装置背面側に設けられたトレイへシートを確実に装填することができる手段を提供することにある。
【課題を解決するための手段】
【０００７】
(1)  本発明に係る画像記録装置は、原稿に記録された画像を読み取る画像読取部と、上記画像読取部の下方に設けられており、シートに画像を記録する画像記録部と、を具備する。上記画像記録部は、当該装置の背面側においてシートを下方から上方へＵターンさせて搬送する第１搬送路と、当該第１搬送路のＵターン部分から当該装置の背面へ通ずる第２搬送路と、当該装置の背面において第２搬送路が開口する位置に設けられたトレイと、を具備する。上記トレイは、当該装置の背面に沿って起立する第１姿勢と当該装置の背面から外側へ斜め上方へ傾倒する第２姿勢とに姿勢変化可能であって、上記第１姿勢における上端が当該装置の最上位置より低い。
【０００８】
トレイの第１姿勢における上端が装置の最上位置より低いので、トレイが装置の上側へ大きく突出することがない。トレイが第２姿勢のときに、装置に挿入されるシートがトレイに当たると、当該シートは、トレイに沿って装置内へ導かれる。
【０００９】
(2)  上記画像記録装置は、上記第１姿勢の上記トレイと当該装置の背面との間で当該装置の背面に沿って起立する第３姿勢と、当該装置の背面から上記第２姿勢の上記トレイのシート載置面へ傾倒する第４姿勢とに姿勢変化可能であって、上記トレイが第１姿勢のときに第３姿勢となり且つ上記トレイが第２姿勢のときに第４姿勢となるように連動し、第４姿勢において第２姿勢の上記トレイとの間にシートが挿入可能な間隙を有する第１ガイドを更に備えたものであってもよい。
【００１０】
第２姿勢のトレイに対して、当該トレイと装置背面との間にシートの先端が挿入されると、当該シートの先端は、第１ガイドに当接しながら、その傾倒に沿ってトレイへ案内される。そして、シートの先端がトレイに当接すると、その先端はトレイに当接しながらトレイと第１ガイドとの間隙に案内されて、装置背面の開口へ向かう。
【００１１】
(3)  上記間隙は、当該装置へ挿入可能な最大のシート厚以下である。
【００１２】
第４姿勢の第１ガイドと第２姿勢のトレイとの間隙は、当該装置へ挿入可能な最大のシート厚以下であるため、当該装置へ挿入することができない厚さのシートが当該装置へ誤って挿入されることが防止される。
【００１３】
(4)  上記画像記録装置は、上記トレイにおいてシートが載置される載置面に、シートが給送される給送向きに沿って第１方向へ一対が延設されており、当該第１方向と直交し且つ上記載置面に沿った第２方向へスライドして上記載置面に載置されたシートの端に当接可能な第２ガイドを更に備えたものであってもよい。
【００１４】
一対の第２ガイドにシートの両端が当接することによって、トレイにおける所定の位置にシートが載置される。
【００１５】
(5)  上記第１ガイドにおける上記間隙に面する縁の第２方向の中央部は、第２方向の両端部より低く、上記トレイにおける少なくとも上記間隙に面するシート載置面の第２方向の中央部は、第２方向の両端部より低くてもよい。
【００１６】
上述の構成では、間隙にシートが挿入されると、シートは、第２方向の中央部が両端部より低くなるように湾曲される。この湾曲によってシートの腰が強くなり、仮にシートの後端側がトレイからはみ出しても垂れ下がることが軽減される。
【００１７】
(6)  上記第２ガイドは、上記第４姿勢の上記第１ガイドのシート挿入側の近傍において当該第２ガイドの上面から立設されて上記第１ガイドとの間隙を覆う凸部を有するものであってもよい。
【００１８】
例えば薄いシートであれば、シートがトレイへ載置されるときに、シートの先端が第２ガイドを乗り越えて、第２ガイドと第１ガイドとの間隙へ進入するおそれがあるが、凸部によって、シートが第２ガイドを乗り越えて当該間隙へ進入する経路が屈曲されるので、そのおそれが軽減される。
【００１９】
(7)  上記一対の第２ガイド間の距離が、上記トレイの先端側においてテーパ状に拡大されているものであってもよい。
【００２０】
この拡大された箇所によってシートが第２ガイド間へ誘い込まれるので、シートの装填が容易である。
【発明の効果】
【００２１】
本発明によれば、トレイの第１姿勢における上端が装置の最上位置より低いので、トレイが装置の上側へ大きく突出することがないので、装置が大型化されることがない。また、トレイが第２姿勢のときに、装置に挿入されるシートがトレイに当たると、当該シートは、トレイに沿って装置内へ導かれるので、装置背面側へのトレイへシートを確実に装填することができる。
【００２２】
また、本発明によれば、第２姿勢のトレイと装置背面との間にシートの先端が挿入されると、第１ガイド及びトレイによって、その先端がトレイと第１ガイドとの間隙に案内されて装置背面の開口へ向かうので、装置背面側におけるシートの装填が容易である。また、トレイと第１ガイドとの間隙によって、装置背面側へ装填可能なシートの厚みが制限される。
【図面の簡単な説明】
【００２３】
【図１】図１は、手差しトレイ２０が第１姿勢をとった状態の本発明の実施形態の一例である複合機１０の外観斜視図である。
【図２】図２は、手差しトレイ２０が第２姿勢をとった状態の本発明の実施形態の一例である複合機１０の外観斜視図である。
【図３】図３は、本発明の実施形態の一例である複合機１０の左側面図であり、（Ａ）には手差しトレイ２０が第１姿勢をとった状態が示されており、（Ｂ）には手差しトレイが第２姿勢をとった状態が示されている。
【図４】図４は、プリンタ部１１の内部構造を模式的に示す縦断面図である。
【図５】図５は、手差しトレイ２０、シートガイド２１及び幅調整ガイド２２の外観斜視図である。
【図６】図６は、手差しトレイ２０、シートガイド２１及び幅調整ガイド２２の外観斜視図である。
【発明を実施するための形態】
【００２４】
以下、適宜図面を参照して本発明の実施形態について説明する。なお、以下に説明される実施形態は本発明の一例にすぎず、本発明の要旨を変更しない範囲で、本発明の実施形態を適宜変更できることは言うまでもない。
【００２５】
図１は、本発明の実施形態に係る画像記録装置の一例としての複合機１０の外観を示す斜視図である。以下の説明においては、複合機１０が使用可能に設置された状態（図１の状態）を基準として上下方向７を定義し、操作パネル１２１が設けられている側を手前側（正面）として前後方向８を定義し、複合機１０を手前側（正面）から見て左右方向９を定義する。
【００２６】
複合機１０は、高さ（上下方向７の長さ）に対して横幅（左右方向９の長さ）及び奥行き（前後方向８の長さ）が大きい薄型の直方体に概ね形成されている。複合機１０の上部に画像読取部１２（本発明の画像読取部の一例）、下部にインクジェット記録方式のプリンタ部１１（本発明の画像記録部の一例）が設けられている。複合機１０は、ファクシミリ機能、プリンタ機能、スキャナ機能、及びコピー機能などの各種の機能を有している。なお、本実施形態では、プリンタ機能として片面画像記録機能のみ有している複合機１０が説明されるが、複合機１０は両面画像記録機能を有していてもよい。
【００２７】
［画像読取部１２の構成］
画像読取部１２はプリンタ部１１の上部に配設されており、装置上面の前方側に配置された操作パネル１２１と、スキャナ部１２２と、を備えている。
【００２８】
複合機１０の上面の前方側であって、スキャナ部１２２の正面側の上面には、プリンタ部１１やスキャナ部１２２を操作するための操作パネル１２１が設けられている。操作パネル１２１は、各種操作ボタンや液晶表示部から構成されている。複合機１０は、操作パネル１２１からの指示入力によって動作する。各種操作ボタンは、例えば、プリンタ部１１やスキャナ部１２２の動作を開始するためのスタートボタンと、動作の停止や設定の終了を行うためのストップボタン、ファクシミリ機能を選択するためのＦＡＸボタン、スキャナ機能を選択するためのスキャナボタン、コピー機能を選択するためのコピーボタンなどのモード選択ボタンと、コピー枚数やスキャナ部１２２による読取解像度などを入力するためのダイヤルボタンと、その他の各種設定ボタンなどの複数の入力キーとから構成される。
【００２９】
スキャナ部１２２は、フラットベッドスキャナ（ＦＢＳ：Flat Bed Scanner）及び自動原稿搬送装置（ＡＤＦ：Automatic Document Feeder）として構成されているが、本発明においてスキャナ部１２２は、原稿に記録された画像を読み取るものであれば任意の構成であるので、本明細書においては、その詳細な説明が省略される。
【００３０】
［プリンタ部１１の構成］
プリンタ部１１は、正面及び背面に開口が形成されたケーシング（筐体）１４を有する。ケーシング１４内にプリンタ部１１の各構成要素が配設されている。
【００３１】
プリンタ部１１の正面の開口（不図示）からケーシング１４の内部側へ連続するように収容室が区画されている。この収容室に給紙カセット７８（図４参照）が装着されている。図１乃至図３では、給紙カセット７８の図示が省略されている。給紙カセット７８は、正面の開口からケーシング１４内に前後方向８に挿抜可能に構成されている。給紙カセット７８は、各種サイズの記録用紙（本発明のシートの一例）を保持可能である。なお、本実施形態では、１つの給紙カセット７８のみを装着可能な複合機１０が説明されるが、複合機１０は複数の給紙カセット７８を装着可能であってもよい。例えば、複合機１０は、第１給紙カセットと、その上方で前後方向８へスライド可能な第２給紙カセットとを有していてもよい。
【００３２】
プリンタ部１１の背面１４Ａには、凹部が設けられている。図２及び図４に示されるように、凹部は、スキャナ部１２２と給紙カセット７８の間の高さに設けられており、右側面１４ＡＡ、左側面１４ＡＢ及び奥面１４ＡＣで構成されている。図４に示されるように、凹部の奥面１４ＡＣの下部には、プリンタ部１１の背面に形成された開口（以下、背開口１３と記す。）が設けられている。
【００３３】
図１乃至図３に示されるように、凹部には、手差しトレイ２０（本発明のトレイの一例）が開閉可能に配置されている。図１及び図３（Ａ）には、手差しトレイ２０が閉じられた状態が示されており、図２及び図３（Ｂ）には、手差しトレイ２０が開けられた状態が示されている。手差しトレイ２０は、開けられた状態において、各種サイズの記録用紙を載置可能である。なお、手差しトレイ２０の構成については後段で詳述する。
【００３４】
次に、図４を参照しながら、プリンタ部１１の構成が更に詳しく説明される。図４では、給紙カセット７８の前方側（紙面右側）の図示が省略されている。プリンタ部１１は、給紙カセット７８に加えて、給紙カセット７８から記録用紙をピックアップして給紙（給送）する給送部１５と、給送部１５によって給紙された記録用紙にインク滴を吐出して記録用紙に画像を形成するインクジェット記録方式の記録部２４などを備えている。これらがケーシング１４内に設けられている。なお、記録部２４は、インクジェット方式に限られず、電子写真方式や感熱記録方式などが適用可能である。
【００３５】
［搬送路６５］
プリンタ部１１の内部には、給紙カセット７８及び手差しトレイ２０から記録部２４を経て排紙保持部７９に至る搬送路６５が形成されている。搬送路６５は、給紙カセット７８の先端（後方側の端部）から記録部２４に至る間に形成された湾曲路６５Ａ（本発明の第１搬送路の一例）と、手差しトレイ２０の先端（前方側の端部）から湾曲路６５Ａとの合流点３６に至る間に形成された搬送経路６５Ｂ（本発明の第２搬送路の一例）と、記録部２４から排紙保持部７９に至る間に形成された排紙路６５Ｃとに区分される。なお、排紙保持部７９は、給紙カセット７８と一体に構成されていてもよく、或いはプリンタ部１１のフレームなどに固定されたものであってもよい。
【００３６】
図４に示されるように、湾曲路６５Ａは、給紙カセット７８に設けられた分離傾斜板２２の上端付近から記録部２４に渡って延設された湾曲状の通路である。記録用紙は、給紙カセット７８から後方に向けて搬送される。記録用紙は、装置の背面側において、湾曲路６５Ａによって装置の下方から上方へＵターンされる。その後、記録用紙は、前方に向けて搬送される。湾曲路６５Ａは、所定間隔を隔てて互いに対向する外側ガイド部材１８及び内側ガイド部材１９によって区画されている。なお、外側ガイド部材１８及び内側ガイド部材１９、更に、後述する第１下側ガイド部材８０、第１上側ガイド部材８１、第２上側ガイド部材８２、第２下側ガイド部材８３、第３上側ガイド部材８４は、いずれも、図２の紙面垂直方向（図１の左右方向９）へ延びている。
【００３７】
搬送経路６５Ｂは、プリンタ１１の背開口１３から湾曲路６５Ａとの合流点３６に渡って延設された直線状の通路である。記録用紙は、複合機１０のユーザによって、手差しトレイ２０に担持されつつ、背開口１３から前方に向けて挿入される。記録用紙は、搬送経路６５Ｂを介して、第１搬送ローラ６０とピンチローラ６１のニップ位置６０Ａに挿入される。
【００３８】
搬送経路６５Ｂは、所定間隔を隔てて互いに対向する第１下側ガイド部材８０及び第１上側ガイド部材８１によって区画されている。第１上側ガイド部材８１の搬送方向の下流側（以下、単に「下流側」と略称する。）には、第２上側ガイド部材８２が設けられている。ここで、搬送方向とは、記録用紙が搬送路６５を搬送される向き（図２において矢印付きの二点鎖線で示される向き）を指す。第２上側ガイド部材８２は、第１上側ガイド部材８１の先端（前方側の端部）と合流点３６の上側近傍を結ぶように延設されており、手差しトレイ２０から挿入された記録用紙を、合流点３６を介してニップ位置６０Ａへ導く。なお、本実施形態では、第１下側ガイド部材８０と外側ガイド部材１８は個別に形成されているが、両者は一体に形成されていてもよい。また、第１上側ガイド部材８１と第２上側ガイド部材８２は個別に形成されているが、両者は一体に形成されていてもよい。
【００３９】
排紙路６５Ｃは、記録部２４よりも下流側に設けられた第２下側ガイド部材８３と第３上側ガイド部材８４とによって区画されている。排紙路６５Ｃは、第２搬送ローラ６２によって搬送された画像記録済の記録用紙の下面を支持しつつ、下流側へ案内する。第３上側ガイド部材８４は、第２下側ガイド部材８３よりも上方に配置されている。第３上側ガイド部材８４と第２下側ガイド部材８３とは、記録用紙が通過可能な所定間隔を隔てて互いに対向するように配置されている。
【００４０】
［記録部２４］
図４に示されるように、記録部２４は、給紙カセット７８の上方に配置されている。記録部２４は、図４の紙面垂直方向（主走査方向）に延出されたガイドレール（不図示）に沿って往復動するように構成されている。記録部２４の下方にプラテン４２が設けられている。プラテン４２は、記録部２４によって画像記録が行われる際に、記録用紙を水平に支持するものである。記録部２４は、主走査方向への往復移動過程において、図示しないインクカートリッジから供給されたインクをノズル３９から微小なインク滴としてプラテン４２上を搬送される記録用紙に吐出する。これにより、記録用紙に画像が記録される。
【００４１】
湾曲路６５Ａの終端と記録部２４との間には、第１搬送ローラ６０及びピンチローラ６１が設けられている。これらは対をなしている。ピンチローラ６１は、第１搬送ローラ６０の下方に配置されており、図示しないバネなどの弾性部材によって第１搬送ローラ６０のローラ面に圧接されている。第１搬送ローラ６０及びピンチローラ６１は、湾曲路６５Ａ及び搬送経路６５Ｂを搬送してきた記録用紙を狭持してプラテン４２上へ送る。
【００４２】
また、記録部２４と排紙路６５Ｃの始端との間には、第２搬送ローラ６２及び拍車ローラ６３が設けられている。これらは対をなしている。拍車ローラ６３は、第２搬送ローラ６２の上方に配置されており、自重若しくはバネなどによって第２搬送ローラ６２のローラ面に圧接されている。第２搬送ローラ６２及び拍車ローラ６３は、記録済みの記録用紙を狭持してさらに下流側（排紙保持部７９側）へ搬送する。
【００４３】
第１搬送ローラ６０及び第２搬送ローラ６２は、搬送用モータ（不図示）から駆動伝達機構を介して回転駆動力が伝達されて回転される。第１搬送ローラ６０及び第２搬送ローラ６２は、画像記録時に間欠駆動される。そのため、記録用紙は、所定の改行幅で送られながら画像記録がなされる。
【００４４】
［給送部１５］
給送部１５は、給紙カセット７８に収容された記録用紙を湾曲路６５Ａへ向けて搬送するためのものであり、給紙ローラ２５と、給紙アーム２６と、駆動伝達機構２７とを備えている。給紙ローラ２５は、給紙カセット７８の上側に配置されている。給紙ローラ２５は、給紙カセット７８に収容された記録用紙をピックアップして湾曲路６５Ａへ給紙するものであり、給紙アーム２６の先端に回転自在に軸支されている。給紙ローラ２５は、給紙用モータ（不図示）の回転力が駆動伝達機構２７を介して伝達されると回転駆動される。なお、駆動伝達機構２７は、給紙アーム２６に軸支されており、概ね給紙アーム２６の延出方向に沿って直線状に並ぶ複数のギヤで構成されている。なお、給紙ローラ２５は、基軸２８を回動中心軸として回転し、給紙カセット７８に収容された記録用紙の上面に圧接可能である。
【００４５】
［レジストセンサ１１０］
図４に示されるように、湾曲路６５Ａには、湾曲路６５Ａを搬送される記録用紙、又は、手差しトレイ２０から搬送経路６５Ｂを介して挿入される記録用紙の先端位置を検知するためのレジストセンサ１１０が設けられている。レジストセンサ１１０は、例えば、検出子１１２Ａ，１１２Ｂを有する回転体と、発光素子（例えば発光ダイオード）及びこの発光素子から発光された光を受光する受光素子（例えばフォトトランジスタ）を有するフォトインタラプタ等の光センサ１１１とにより構成されている。回転体は、支軸１１３を中心に回転可能に設けられている。検出子１１２Ａは支軸１１３から外側ガイド部材１８を超えて湾曲路６５Ａへ突出している。回転体１１２に外力が加えられていない状態で、検出子１１２Ｂは光センサ１１１の発光素子から受光素子に至る光路に進入して、この光路を通る光を遮断している。
【００４６】
［手差しトレイ２０］
図２、図４、図５及び図６に示されるように、手差しトレイ２０は、奥面１４ＡＣの後方側に設けられている。手差しトレイ２０は、Ａ４サイズをはじめとする各種サイズの記録用紙を一枚載置可能である。
【００４７】
図５及び図６に示されるように、手差しトレイ２０は、記録用紙が載置される載置板２０１と、載置板２０１の先端部（上方側の端部）において記録用紙の載置面から左右方向９に立設された蓋板２０２とを有している。蓋板２０２には、後述するシートガイド２１（本発明の第１ガイドの一例）の上方の端部に立設された蓋板２１２の凸部２１２Ａと同じ相対する形状の凹部２０３が設けられている。手差しトレイ２０は、概ね平板形状に構成されている。
【００４８】
なお、図５及び図６では、手差しトレイ２０及びシートガイド２１の右側半分のみが描かれており、左側半分は省略されている。手差しトレイ２０及びシートガイド２１並びにこれらの支持機構は左右対称である。よって、以下の説明では、手差しトレイ２０及びシートガイド２１並びにこれらの支持機構の右側半分が主に説明され、左側半分について説明が省略されるか又は必要に応じて説明される。
【００４９】
手差しトレイ２０は、基端部（下方側の端部）において、載置板２０１の右側面から右側へ延びる右回動軸（不図示）と、載置板２０１の左側面から左側へ延びる左回動軸２０１Ａ（図４参照）とを備えている。右回動軸は、右側面１４ＡＡにおける右回動軸に対向する位置に設けられた孔に挿入されている。左回動軸は、左側面１４ＡＢにおける左回動軸に対向する位置に設けられた孔に挿入されている。つまり、手差しトレイ２０は、その基端部が右回動軸及び左回動軸２０１Ａに支持されており、右回動軸及び左回動軸２０１Ａを回動中心軸として回動可能に構成されている。
【００５０】
上述より、手差しトレイ２０は、図４において破線の矢印で示されるように回動可能である。手差しトレイ２０は、回動することによって、プリンタ部１１に対して閉じられた姿勢（図４に破線で示す。本発明の第１姿勢に相当）と開かれた姿勢（図４に実線で示す。本発明の第２姿勢に相当）をとる。
【００５１】
図１及び図３（Ａ）に示されるように、手差しトレイ２０は、第１姿勢をとっているとき、背面１４Ａに沿って起立する。載置板２０１において記録用紙が載置される面は、奥面１４ＡＣと対向する。蓋板２０２は、手差しトレイ２０の上面を構成する。第１姿勢の手差しトレイ２０と奥面１４ＡＣとの間の隙間は、蓋板２０２によって埋められる。図３（Ａ）に示されるように、手差しトレイ２０が第１姿勢をとっているとき、手差しトレイ２０の上端、つまり蓋板２０２の外側の面２０２Ａは、複合機１０の最上位置であるスキャナ部１２２の上面１２２Ａより低い。
【００５２】
手差しトレイ２０には第１姿勢を保持する起立保持機構が設けられている。例えば、図５に示されるように、蓋板２０２の記録用紙挿入側における左右方向８の両端部には、突起部２０２Ｂが設けられている。突起部２０２Ｂは、載置板２０１の先端部から基端部への向きに付勢力をもった弾性部材などで構成される。手差しトレイ２０が第１姿勢をとっているとき、突起２０２Ｂが、突起２０２Ｂと対向する面２０２Ｃに押しつけられる。これにより、当該付勢力より大きな力が手差しトレイ２０に加わらない限り、手差しトレイ２０は第１姿勢を維持する。以上のような機構が、起立保持機構として採用可能である。もちろんこのような機構に限られず、手差しトレイ２０が第１姿勢を保持することができるのであれば、如何なる機構が適用されてもよい。
【００５３】
図２、図３（Ｂ）、図５及び図６に示されるように、手差しトレイ２０は、第２姿勢をとっているとき、背面１４Ａから更に後方側へ斜め上方に傾倒している。
【００５４】
手差しトレイ２０には第２姿勢を保持する傾倒保持機構が設けられている。例えば、手差しトレイ２０の下方に支持板を設ける構造が考えられる。当該支持板は、手差しトレイ２０が第２姿勢をとっているときに、載置板２０１の記録用紙の載置面に対する裏面と当接する。これにより、手差しトレイ２０が支持される。傾倒保持機構は、このような機構に限られず、手差しトレイ２０が第２姿勢を保持することができるのであれば、如何なる機構が適用されてもよい。
【００５５】
［シートガイド２１］
図５及び図６に示されるように、シートガイド２１は、手差しトレイ２０と奥面１４ＡＣの間に設けられている。シートガイド２１は、記録用紙が当接される当接板２１１と、当接板２１１の左右方向９の両端部から立設された側板２１５と、当接板２１１の上方側の端部に立設された蓋板２１２とを有している。蓋板２１２には、凹部２０３と同じ形状の凸部２１２Ａが設けられている。シートガイド２１は、概ね平板形状に構成されている。
【００５６】
当接板２１１は、上方側の両端において右側の側面から右向きに延びる右上軸２１１Ａ及び左側の側面から左向きに延びる左上軸（不図示）と、下方側の両端において右側の側面から右向きに延びる右下軸２１１Ｂ及び左側の側面から左向きに延びる左下軸（不図示）とを備えている。
【００５７】
右側面１４ＡＡには、奥面１４ＡＣ近傍を上下方向７に延びるＵ字形状のレール溝２１３が設けられている。詳細には、右側面１４ＡＡとシートガイド２１の間に設けられた支持部材２１４には、レール溝２１３が設けられている。レール溝２１３には右上軸２１１Ａが挿入される。これにより、シートガイド２１がレール溝２１３によって上下方向７へスライド可能に支持される。
【００５８】
手差しトレイ２０の載置板２０１の先端部（上方側の端部）と基端部（下方側の端部）の間（例えば先端部と基端部の中間）における左右方向８の両端部には、凸形状の軸支部２０４が立設されている。軸支部２０４には、シートガイド２１の右下軸２１１Ｂ及び左下軸に対向する位置において、左右方向９の孔又は穴が設けられている。右下軸２１１Ｂ及び左下軸は、軸支部２０４に設けられた孔又は穴に挿入される。つまり、シートガイド２１は、右下軸２１１Ｂ及び左下軸を中心軸として回転可能に、軸支部２０４によって軸支されている。
【００５９】
手差しトレイ２０は、第２姿勢から第１姿勢に移行するとき、右回動軸及び左回動軸２０１Ａを回動中心軸として回動する。すると、軸支部２０４は前方へ移動する。これにより、シートガイド２１は、右下軸２１１Ｂ及び左下軸を中心軸として回転するとともに、シートガイド２１の右上軸２１１Ａ及び左上軸は、レール溝２１３の上部にスライドする。これにより、手差しトレイ２０が第１姿勢をとっているとき、シートガイド２１は、手差しトレイ２０と奥面１４ＡＣの間において、背面１４Ａに沿って起立する姿勢をとる（図４に破線で示す。本発明の第３姿勢に相当）。当接板２１１において記録用紙が当接される面は、載置板２０１と対向する。蓋板２１２は、シートガイド２１の上面を構成する。また、蓋板２１２と蓋板２０２は、凹部２１２Ａと凸部２０３によって係合する。これにより、第１姿勢の手差しトレイ２０と奥面１４ＡＣとの間の隙間は、２つの蓋板２０２、２１２によって埋められる。
【００６０】
なお、第１姿勢の手差しトレイ２０と第３姿勢のシートガイド２１は、前後方向８に所定の間隔が設けられるように配置される。これにより、載置板２０１に立設される後述の幅調整ガイド２２がシートガイド２１に当接することが防止される。
【００６１】
手差しトレイ２０は、第１姿勢から第２姿勢に移行するとき、右回動軸及び左回動軸２０１Ａを回動中心軸として回動する。すると、軸支部２０４は後方へ移動する。これにより、シートガイド２１は、右下軸２１１Ｂ及び左下軸を中心軸として回転するとともに、シートガイド２１の右上軸２１１Ａ及び左上軸は、レール溝２１３の下部にスライドする。これにより、手差しトレイ２０が第２姿勢をとっているとき、シートガイド２１は、奥面１４ＡＣから載置板２０１へ傾倒する姿勢をとる（図４に実線で示す。本発明の第４姿勢に相当）。
【００６２】
以上より、シートガイド２１は、手差しトレイ２０が第１姿勢をとっているときに第３姿勢となり、手差しトレイ２０が第２姿勢をとっているときに第４姿勢となるように、手差しトレイ２０に連動して姿勢変化される。
【００６３】
また、図５及び図６に示されるように、シートガイド２１が第４姿勢をとっているとき、当接板２１１の下方側の下端２１１Ｃと、載置板２０１における記録用紙の載置面との間に、記録用紙が挿入可能な間隙４０が形成されている。間隙４０は、複合機１０へ挿入することが許容される記録用紙の最大厚み以下となるように形成されている。例えば、複合機１０へ挿入することが許容される記録用紙の最大厚みが２ｍｍである場合、間隙４０は、２ｍｍ以下、又は、記録用紙を挿入し易くするために２ｍｍに若干の余裕長さを加えた値以下である。
【００６４】
［幅調整ガイド２２］
図２、図３、図５及び図６に示されるように、載置板２０１における記録用紙の載置面には、記録用紙が挿入される方向に沿って、複合機１０へ挿入される記録用紙の幅を調整するための一対の幅調整ガイド２２（本発明の第２ガイドの一例）が立設されている。
【００６５】
図６に示されるように、幅調整ガイド２２は、第２姿勢で間隙４０が形成される位置より後方側において間隙４０より長い部分２２Ａと、第２姿勢で間隙４０が形成される位置より前方側において間隙４０より短い部分２２Ｂとで構成されている。
【００６６】
幅調整ガイド２２は、載置板２０１における記録用紙の載置面において、左右方向９にスライド可能に支持されている。詳細には、幅調整ガイド２２は、複合機１０へ挿入可能な記録用紙の最大サイズに対応する位置と最小サイズに対応する位置との間でスライドする。
【００６７】
幅調整ガイド２２が、載置板２０１に載置された記録用紙のサイズと合致する位置にスライドされているとき、一対の幅調整ガイド２２は当該記録用紙の端に当接する。詳細には、右側の幅調整ガイド２２の左側面が当該記録用紙の右端に当接し、左側の幅調整ガイド２２の右側面が当該記録用紙の左端に当接する。
【００６８】
幅調整ガイド２２の支持機構としては、例えば、載置板２０１の記録用紙の載置面に左右方向９に延びるレール溝（不図示）が設けられ、幅調整ガイド２２が当該レール溝に沿ってスライドする構造が採用可能である。更に、以下の構造を追加可能である。つまり、一方の幅調整ガイド２２の後方側及び他方の幅調整ガイド２２の前方側に、左右方向に延びるラックギヤが設けられる。２つのラックギヤの間に双方のラックギヤと噛合されるピニオンギヤが設けられる。そして、一対の幅調整ガイド２２は、当該ラックギヤとピニオンギヤによって、左右方向９の反対向きに等距離をスライド可能である。もちろんこのような機構に限られず、幅調整ガイド２２が左右方向９にスライド可能であれば、如何なる機構が適用されてもよい。
【００６９】
［実施形態の効果］
手差しトレイ２０の第１姿勢における上端がスキャナ部１２２の最上位置より低いので、手差しトレイ２０が複合機１０の上側へ大きく突出することがない。手差しトレイ２０が第２姿勢のときに、複合機１０に挿入される記録用紙が手差しトレイ２０に当たると、当該記録用紙は、手差しトレイ２０に沿って複合機１０の内部へ導かれる。
【００７０】
手差しトレイ２０は使用されないときに第１姿勢をとる。手差しトレイ２０が第１姿勢をとっているとき、手差しトレイ２０と奥面１４ＡＣとの間に隙間ができる。当該隙間から異物が複合機１０に入るおそれがある。しかし、本実施形態では、手差しトレイ２０の蓋板２０２及びシートガイド２１の蓋板２１２が、第１姿勢において手差しトレイ２０と奥面１４ＡＣとの間の隙間を埋めるため、異物の複合機１０への進入を低減できる。
【００７１】
第２姿勢の手差しトレイ２０に対して、手差しトレイ２０と背面１４Ａとの間に記録用紙の先端が挿入されると、当該記録用紙の先端は、シートガイド２１に当接しながら、その傾倒に沿って載置板２０１へ案内される。そして、記録用紙の先端が載置板２０１の載置面に当接すると、その先端は載置面に当接しながら手差しトレイ２０とシートガイド２１との間隙４０に案内されて、背開口１３に案内される。
【００７２】
第４姿勢のシートガイド２１と第２姿勢の手差しトレイ２０との間隙４０は、複合機１０へ挿入可能な最大の記録用紙の厚み以下である。したがって、複合機１０へ挿入させることができない厚さの記録用紙が複合機１０へ誤って挿入されることが防止される。
【００７３】
一対の幅調整ガイド２２に記録用紙の両端が当接することによって、手差しトレイ２０における所定の位置（記録用紙が複合機１０へ適正に挿入される位置）に記録用紙が載置される。
【００７４】
［実施形態の変形例］
間隙４０は、左右方向９の位置によって異なる大きさであってもよい。詳細には、シートガイド２１における間隙４０に面する縁の左右方向９の中央部は、左右方向９の両端部より低く、手差しトレイ２０における少なくとも間隙４０に面するシート載置面の左右方向９の中央部は、左右方向９の両端部より低くてもよい。これにより、間隙４０の位置は、左右方向９の左端部から中央部にかけて低くなり、当該中央部から右端部にかけて再び高くなる。つまり、間隙４０は、左右両端が高く中央部が低い湾曲形状となる。なお、この場合でも、間隙４０は、複合機１０へ挿入することが許容される記録用紙の最大厚み以下となるように形成される必要があることは言うまでもない。
【００７５】
上述の構成では、湾曲形状の間隙４０に記録用紙が挿入されると、記録用紙は、左右方向９の中央部が両端部より低くなるように湾曲される。この湾曲によって記録用紙の腰が強くなる。その結果、仮に記録用紙の後端側がトレイからはみ出しても、記録用紙の後端側が垂れ下がる現象（いわゆる記録用紙の腰折れ）の発生が軽減される。
【００７６】
また、幅調整ガイド２２は、第４姿勢をとっているシートガイド２１の記録用紙の挿入側の近傍（図６の「Ａ」点）において、シートガイド２１の上面から立設される凸部（本発明の凸部の一例）を備えていてもよい。なお、凸部は、シートガイド２１が第３姿勢をとったときに、シートガイド２１と当接しない高さ及び位置に設けられる。
【００７７】
例えば薄い記録用紙であれば、記録用紙が手差しトレイ２０へ載置されるときに、記録用紙の先端が幅調整ガイド２２を乗り越えて、幅調整ガイド２２とシートガイド２１との間隙４１（図５及び図６参照）へ進入するおそれがあるが、凸部によって、記録用紙が幅調整ガイド２２を乗り越えて間隙４１へ進入する経路が屈曲されるので、そのおそれが軽減される。
【００７８】
また、一対の幅調整ガイド２２間の距離が、手差しトレイ２０の後方側においてテーパ状に拡大されていてもよい。詳細には、一対の幅調整ガイド２２間の距離は、手差しトレイ２０の前方側では一定であるが、所定位置よりも後方では後方である程に長くなっている。このような構成によれば、一対の幅調整ガイド２２間の距離が拡大された箇所によって、記録用紙が一対の幅調整ガイド２２間へ誘い込まれる。つまり、記録用紙が、適切な位置へ容易に装填され得る。
【００７９】
また、手差しトレイ２０の基端部（下方側の端部）に、孔が設けられていてもよい。手差しトレイが第２姿勢をとっているとき、異物が背開口１３から複合機１０に入るおそれがある。しかし、上記孔を設けられていると、背開口１３へ向けて落下した異物は、上記孔を介して、背面１４Ａの後方において下方へ落下する。したがって、異物の複合機１０への進入を低減できる。
【符号の説明】
【００８０】
１０・・・複合機
１１・・・プリンタ部
１２・・・画像読取部
２０・・・手差しトレイ
２１・・・シートガイド
２２・・・幅調整ガイド
６５Ａ・・・湾曲路
６５Ｂ・・・搬送経路
【図１】
2011046497.tif 000003
【図２】
2011046497.tif 000004
【図３】
2011046497.tif 000005
【図４】
2011046497.tif 000006
【図５】
2011046497.tif 000007
【図６】
2011046497.tif 000008